(57)【要約】【課題】  利用者に適したコンテンツが利用者によって視認される可能性を向上することができるコンテンツ表示システムおよびコンテンツ表示プログラムを提供する。【解決手段】  コンテンツ表示システムは、表示部と、操作部と、コンテンツを表示部に表示する表示制御手段と、操作部を介した操作を受け付ける操作受付手段とを備え、表示制御手段は、利用者情報に応じたコンテンツのうち特定操作受付条件を満たすことを要求する重要コンテンツを、特定操作受付条件が満たされていない場合に（Ｓ５５でＮＯ）表示し（Ｓ５７）、操作受付手段は、特定操作受付条件が満たされていない場合に（Ｓ５５でＮＯ）特定操作の受け付けを停止する（Ｓ５６）ことを特徴とする。【選択図】  図５
2015205482.tif 000002
【特許請求の範囲】
【請求項１】
表示部と、
操作部と、
コンテンツを前記表示部に表示する表示制御手段と、
前記操作部を介した操作を受け付ける操作受付手段とを備え、
前記表示制御手段は、利用者の情報に応じた前記コンテンツのうち特定の条件を満たすことを要求する要求コンテンツを、前記特定の条件が満たされていない場合に表示し、
前記操作受付手段は、前記特定の条件が満たされていない場合に特定の前記操作の受け付けを停止することを特徴とするコンテンツ表示システム。
【請求項２】
前記要求コンテンツは、前記特定の条件を満たすための前記操作の実行を要求するための操作要求情報を含み、
前記特定の条件は、前記操作のうち前記操作要求情報に対応した要求対応操作が実行されることであることを特徴とする請求項１に記載のコンテンツ表示システム。
【請求項３】
前記表示制御手段は、利用者の情報に応じた前記コンテンツを前記要求コンテンツ以外にも表示可能であることを特徴とする請求項１または請求項２に記載のコンテンツ表示システム。
【請求項４】
表示部および操作部を備えた電子機器によって実行されるコンテンツ表示プログラムであって、
コンテンツを前記表示部に表示する表示制御手段、および、
前記操作部を介した操作を受け付ける操作受付手段として前記電子機器を機能させ、
前記表示制御手段は、利用者の情報に応じた前記コンテンツのうち特定の条件を満たすことを要求する要求コンテンツを、前記特定の条件が満たされていない場合に表示し、
前記操作受付手段は、前記特定の条件が満たされていない場合に特定の前記操作の受け付けを停止することを特徴とするコンテンツ表示プログラム。
【発明の詳細な説明】
【技術分野】
【０００１】
本発明は、利用者の情報に応じたコンテンツを表示するコンテンツ表示システムおよびコンテンツ表示プログラムに関する。
【背景技術】
【０００２】
従来、利用者の情報に応じたコンテンツを表示するコンテンツ表示システムとして、コンテンツとして広告情報を配信する広告配信サーバーと、利用者の携帯端末とを備えた情報システムが知られている（例えば、特許文献１参照。）。特許文献１に記載された情報システムは、携帯端末に記憶されている利用者の情報に基づいて利用者に適した広告が広告配信サーバーによって選択され、広告配信サーバーによって選択された広告を携帯端末によって表示する。
【先行技術文献】
【特許文献】
【０００３】
【特許文献１】特開２００９−２４５０１９号公報
【発明の概要】
【発明が解決しようとする課題】
【０００４】
しかしながら、従来のコンテンツ表示システムにおいては、利用者に適したコンテンツを表示することができるものの、表示したコンテンツを利用者に見させるための仕組みがないため、利用者に適したコンテンツが利用者によって視認されない可能性があるという問題がある。
【０００５】
そこで、本発明は、利用者に適したコンテンツが利用者によって視認される可能性を向上することができるコンテンツ表示システムおよびコンテンツ表示プログラムを提供することを目的とする。
【課題を解決するための手段】
【０００６】
本発明のコンテンツ表示システムは、表示部と、操作部と、コンテンツを前記表示部に表示する表示制御手段と、前記操作部を介した操作を受け付ける操作受付手段とを備え、前記表示制御手段は、利用者の情報に応じた前記コンテンツのうち特定の条件を満たすことを要求する要求コンテンツを、前記特定の条件が満たされていない場合に表示し、前記操作受付手段は、前記特定の条件が満たされていない場合に特定の前記操作の受け付けを停止することを特徴とする。
【０００７】
この構成により、本発明のコンテンツ表示システムは、特定の条件が満たされていない場合に、特定の操作の受け付けを停止するとともに、利用者の情報に応じた要求コンテンツ、すなわち、特定の条件を満たすことを要求するコンテンツを表示するので、特定の操作の受け付けが要求される利用者によって、利用者に適したコンテンツが視認される可能性を向上することができる。
【０００８】
また、本発明のコンテンツ表示システムにおいて、前記要求コンテンツは、前記特定の条件を満たすための前記操作の実行を要求するための操作要求情報を含み、前記特定の条件は、前記操作のうち前記操作要求情報に対応した要求対応操作が実行されることであっても良い。
【０００９】
この構成により、本発明のコンテンツ表示システムは、特定の条件が満たされていない場合に、特定の操作の受け付けを停止するとともに、特定の条件を満たすための操作の実行を要求するための操作要求情報を含む要求コンテンツを表示するので、特定の操作の受け付けが要求される利用者によってコンテンツが視認される可能性を向上することができる。
【００１０】
また、本発明のコンテンツ表示システムにおいて、前記表示制御手段は、利用者の情報に応じた前記コンテンツを前記要求コンテンツ以外にも表示可能であっても良い。
【００１１】
この構成により、本発明のコンテンツ表示システムは、特定の条件を満たすことを要求する要求コンテンツ以外にも、利用者の情報に応じたコンテンツを表示可能であるので、利用者によって視認される必要性に応じた様々なコンテンツを表示することができる。
【００１２】
本発明のコンテンツ表示プログラムは、表示部および操作部を備えた電子機器によって実行されるコンテンツ表示プログラムであって、コンテンツを前記表示部に表示する表示制御手段、および、前記操作部を介した操作を受け付ける操作受付手段として前記電子機器を機能させ、前記表示制御手段は、利用者の情報に応じた前記コンテンツのうち特定の条件を満たすことを要求する要求コンテンツを、前記特定の条件が満たされていない場合に表示し、前記操作受付手段は、前記特定の条件が満たされていない場合に特定の前記操作の受け付けを停止することを特徴とする。
【００１３】
この構成により、本発明のコンテンツ表示プログラムは、特定の条件が満たされていない場合に、特定の操作の受け付けを停止するとともに、利用者の情報に応じた要求コンテンツ、すなわち、特定の条件を満たすことを要求するコンテンツを表示するので、特定の操作の受け付けが要求される利用者によって、利用者に適したコンテンツが視認される可能性を向上することができる。
【発明の効果】
【００１４】
本発明のコンテンツ表示システムおよびコンテンツ表示プログラムは、利用者に適したコンテンツが利用者によって視認される可能性を向上することができる。
【図面の簡単な説明】
【００１５】
【図１】本発明の一実施の形態に係るコンテンツ表示システムのブロック図である。
【図２】図１に示すＭＦＰのブロック図である。
【図３】図１に示すサーバーのブロック図である。
【図４】図３に示すコンテンツの種類を示す図である。
【図５】表示部にコンテンツを表示する場合の図２に示すＭＦＰの動作のフローチャートである。
【図６】表示部による重要コンテンツの表示を終了する場合の図２に示すＭＦＰの動作のフローチャートである。
【図７】図４に示す重要コンテンツの一例を示す図である。
【図８】重要コンテンツの図７に示す例とは異なる一例を示す図である。
【図９】表示部による通常コンテンツの表示を終了する場合の図２に示すＭＦＰの動作のフローチャートである。
【発明を実施するための形態】
【００１６】
以下、本発明の一実施の形態について、図面を用いて説明する。
【００１７】
まず、本実施の形態に係るコンテンツ表示システムの構成について説明する。
【００１８】
図１は、本実施の形態に係るコンテンツ表示システム１０のブロック図である。
【００１９】
図１に示すように、コンテンツ表示システム１０は、電子機器としてのＭＦＰ（Ｍｕｌｔｉｆｕｎｃｔｉｏｎ  Ｐｅｒｉｐｈｅｒａｌ）２０と、ＭＦＰ２０にコンテンツを配信するサーバー３０とを備えている。ＭＦＰ２０と、サーバー３０とは、ＬＡＮ（Ｌｏｃａｌ  Ａｒｅａ  Ｎｅｔｗｏｒｋ）、インターネットなどのネットワーク１１を介して互いに通信可能に接続されている。
【００２０】
ＭＦＰ２０は、数人〜数百人などの多人数の利用者によって使用されることが可能な装置であって、例えばオフィスや学校などの場所に設置されている。
【００２１】
図２は、ＭＦＰ２０のブロック図である。
【００２２】
図２に示すように、ＭＦＰ２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像データを読み取る読取デバイスであるスキャナー２３と、用紙などの記録媒体に印刷を実行する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で外部の装置と通信を行うネットワーク通信デバイスであるネットワーク通信部２６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部２７と、ＭＦＰ２０全体を制御する制御部２８とを備えている。
【００２３】
記憶部２７は、表示部２２にコンテンツを表示するコンテンツ表示プログラム２７ａを記憶している。コンテンツ表示プログラム２７ａは、ＭＦＰ２０の製造段階でＭＦＰ２０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ２０に追加でインストールされても良いし、ネットワーク１１上からＭＦＰ２０に追加でインストールされても良い。
【００２４】
また、記憶部２７は、利用者の情報（以下「利用者情報」と言う。）２７ｂを利用者毎に記憶している。例えば、利用者情報２７ｂには、利用者の認証のために使用される例えばＩＤおよびパスワードなどの認証情報と、利用者が所属している部門を管理する部門管理情報と、ＭＦＰ２０が保持している情報や機能の利用の可否を利用者毎または部門毎に設定している認可情報と、各種の設定を利用者毎または部門毎に記憶しているパーソナライズ情報とが含まれている。ここで、各種の設定には、例えば、表示部２２によって表示される画面のレイアウトの設定と、複数ページ分の画像を１ページの記録媒体に印刷する集約機能の設定とが含まれている。
【００２５】
制御部２８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２７に記憶されているプログラムを実行する。
【００２６】
制御部２８は、記憶部２７に記憶されているコンテンツ表示プログラム２７ａを実行することによって、コンテンツを表示部２２に表示する表示制御手段２８ａ、および、操作部２１を介した操作を受け付ける操作受付手段２８ｂとして機能する。
【００２７】
制御部２８は、操作部２１を介した操作に応じて、例えば、スキャナー２３によって原稿から読み取った画像データに基づいてプリンター２４によって記録媒体に印刷を実行するコピー機能、画像データをファックス通信部２５を介してファックス送信するファックス送信機能、画像データをネットワーク通信部２６を介して送信する送信機能など、各種の機能を実行することができる。なお、ファックス送信機能においてファックス送信する画像データは、例えば、スキャナー２３によって原稿から読み取った画像データである。同様に、送信機能において送信する画像データは、例えば、スキャナー２３によって原稿から読み取った画像データである。
【００２８】
図３は、サーバー３０のブロック図である。
【００２９】
図３に示すように、サーバー３０は、種々の操作が入力されるマウスやキーボードなどの入力デバイスである操作部３１と、種々の情報を表示するＬＣＤなどの表示デバイスである表示部３２と、ネットワーク１１（図１参照。）経由で外部の装置と通信を行うネットワーク通信デバイスであるネットワーク通信部３３と、各種のデータを記憶しているＨＤＤなどの記憶デバイスである記憶部３４と、サーバー３０全体を制御する制御部３５とを備えている。サーバー３０は、例えばＰＣ（Ｐｅｒｓｏｎａｌ  Ｃｏｍｐｕｔｅｒ）などのコンピューターによって構成されている。
【００３０】
記憶部３４は、コンテンツ３４ａを複数記憶することができる。
【００３１】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行するようになっている。
【００３２】
記憶部３４に記憶されるコンテンツ３４ａは、例えば、ＭＦＰ２０（図２参照。）の利用者を管理する者など、特定の権限を有する者によって、操作部３１またはネットワーク通信部３３を介してサーバー３０に入力されることができる。
【００３３】
図４は、コンテンツ３４ａ（図３参照。）の種類を示す図である。
【００３４】
図４に示すように、コンテンツ３４ａの種類としては、通常コンテンツ４１と、重要コンテンツ４２とが存在する。
【００３５】
コンテンツ３４ａには、複数のコンテンツ３４ａから適切に選び出されるように、コンテンツ３４ａ自身に対応する利用者情報の条件（以下「利用者情報条件」と言う。）４０ａが設定されている。ここで、利用者情報条件４０ａには、全ての利用者という条件を設定することもできる。
【００３６】
通常コンテンツ４１には、ＭＦＰ２０（図２参照。）の表示部２２（図２参照。）に表示されない条件（以下「非表示条件」と言う）４１ａが設定されている。
【００３７】
重要コンテンツ４２には、ＭＦＰ２０の操作部２１（図２参照。）を介した特定の操作（以下「特定操作」と言う。）４２ａと、特定操作４２ａをＭＦＰ２０に受け付けさせる特定の条件（以下「特定操作受付条件」と言う。）４２ｂとが設定されている。重要コンテンツ４２は、特定操作受付条件４２ｂを満たすことを要求する要求コンテンツである。
【００３８】
特定操作４２ａとは、例えば、コピー機能をＭＦＰ２０に実行させる操作、ファックス送信機能をＭＦＰ２０に実行させる操作、送信機能をＭＦＰ２０に実行させる操作など、ＭＦＰ２０の少なくとも１つの機能をＭＦＰ２０に実行させる操作である。
【００３９】
次に、ＭＦＰ２０の動作について説明する。
【００４０】
まず、表示部２２にコンテンツを表示する場合のＭＦＰ２０の動作について説明する。
【００４１】
利用者がコピー機能などのＭＦＰ２０の機能を使用するために、操作部２１を介してＭＦＰ２０にログインすると、ＭＦＰ２０の制御部２８は、図５に示す動作を実行する。
【００４２】
図５は、表示部２２にコンテンツを表示する場合のＭＦＰ２０の動作のフローチャートである。
【００４３】
図５に示すように、表示制御手段２８ａは、ＭＦＰ２０にログイン中の利用者（以下「ログイン利用者」と言う。）に適したコンテンツの配信の要求（以下「コンテンツ配信要求」と言う。）をネットワーク通信部２６を介してサーバー３０に送信する（Ｓ５１）。ここで、コンテンツ配信要求には、ログイン利用者の利用者情報２７ｂの少なくとも一部が含まれる。
【００４４】
サーバー３０の制御部３５は、ＭＦＰ２０からネットワーク通信部３３を介してコンテンツ配信要求を受信すると、受信したコンテンツ配信要求に含まれる利用者情報に応じたコンテンツ３４ａを、各コンテンツ３４ａに設定されている利用者情報条件４０ａに基づいて複数のコンテンツ３４ａから選び出す。例えば、制御部３５は、コンテンツ配信要求に含まれる利用者情報に含まれる部門管理情報によって特定される部門に対するコンテンツ３４ａを複数のコンテンツ３４ａから選び出す。なお、制御部３５は、コンテンツ配信要求に含まれる利用者情報に応じた複数のコンテンツ３４ａを選び出すこともできる。制御部３５は、選び出したコンテンツ３４ａをネットワーク通信部３３を介してＭＦＰ２０に送信する。
【００４５】
表示制御手段２８ａは、Ｓ５１の処理の後、サーバー３０からネットワーク通信部２６を介してコンテンツを受信する（Ｓ５２）。
【００４６】
次いで、操作受付手段２８ｂは、Ｓ５２において受信したコンテンツに重要コンテンツ４２が含まれているか否かを判断する（Ｓ５３）。
【００４７】
操作受付手段２８ｂは、重要コンテンツ４２が含まれているとＳ５３において判断すると、Ｓ５２において受信したコンテンツに含まれている重要コンテンツ４２のうち未だ対象にしていない１つを対象にし（Ｓ５４）、現在対象としている重要コンテンツ４２に設定されている特定操作受付条件４２ｂが満たされているか否かを判断する（Ｓ５５）。
【００４８】
操作受付手段２８ｂは、特定操作受付条件４２ｂが満たされていないとＳ５５において判断すると、現在対象としている重要コンテンツ４２に設定されている特定操作４２ａの受け付けを停止する（Ｓ５６）。
【００４９】
次いで、表示制御手段２８ａは、現在対象としている重要コンテンツ４２を表示部２２に表示する（Ｓ５７）。ここで、ＭＦＰ２０がスピーカーを備えていて、重要コンテンツ４２に音声が含まれている場合、制御部２８は、重要コンテンツ４２を表示部２２に表示するときに、表示部２２に表示する重要コンテンツ４２に含まれている音声をスピーカーから出力することもできる。
【００５０】
操作受付手段２８ｂは、特定操作受付条件４２ｂが満たされているとＳ５５において判断するか、Ｓ５７の処理が終了すると、Ｓ５２において受信したコンテンツに含まれている重要コンテンツ４２に未だ対象にしていないものが存在するか否かを判断する（Ｓ５８）。
【００５１】
操作受付手段２８ｂは、未だ対象にしていない重要コンテンツ４２が存在するとＳ５８において判断すると、Ｓ５４の処理を実行する。
【００５２】
表示制御手段２８ａは、重要コンテンツ４２が含まれていないとＳ５３において判断されるか、未だ対象にしていない重要コンテンツ４２が存在しないとＳ５８において判断されると、Ｓ５２において受信したコンテンツに通常コンテンツ４１が含まれているか否かを判断する（Ｓ５９）。
【００５３】
表示制御手段２８ａは、通常コンテンツ４１が含まれているとＳ５９において判断すると、Ｓ５２において受信したコンテンツに含まれている通常コンテンツ４１のうち未だ対象にしていない１つを対象にし（Ｓ６０）、現在対象としている通常コンテンツ４１に設定されている非表示条件４１ａが満たされているか否かを判断する（Ｓ６１）。
【００５４】
表示制御手段２８ａは、非表示条件４１ａが満たされていないとＳ６１において判断すると、現在対象としている通常コンテンツ４１を表示部２２に表示する（Ｓ６２）。ここで、ＭＦＰ２０がスピーカーを備えていて、通常コンテンツ４１に音声が含まれている場合、制御部２８は、通常コンテンツ４１を表示部２２に表示するときに、表示部２２に表示する通常コンテンツ４１に含まれている音声をスピーカーから出力することもできる。
【００５５】
表示制御手段２８ａは、非表示条件４１ａが満たされているとＳ６１において判断するか、Ｓ６２の処理が終了すると、Ｓ５２において受信したコンテンツに含まれている通常コンテンツ４１に未だ対象にしていないものが存在するか否かを判断する（Ｓ６３）。
【００５６】
表示制御手段２８ａは、未だ対象にしていない通常コンテンツ４１が存在するとＳ６３において判断すると、Ｓ６０の処理を実行する。
【００５７】
表示制御手段２８ａは、通常コンテンツ４１が含まれていないとＳ５９において判断するか、未だ対象にしていない通常コンテンツ４１が存在しないとＳ６３において判断すると、図５に示す動作を終了する。
【００５８】
なお、表示制御手段２８ａは、Ｓ５７の処理およびＳ６２の処理によって表示部２２に表示されるコンテンツが複数存在する場合には、種々の方法によって複数のコンテンツを表示部２２に表示することができる。例えば、表示制御手段２８ａは、複数のコンテンツのうち表示部２２に表示させるコンテンツを自動的に順番に切り替えても良いし、複数のコンテンツのうち表示部２２に表示させるコンテンツを利用者による操作部２１を介した指示に応じて順番に切り替えても良いし、複数のコンテンツを一覧で表示部２２に表示させても良い。
【００５９】
次に、表示部２２による重要コンテンツ４２の表示を終了する場合のＭＦＰ２０の動作について説明する。
【００６０】
重要コンテンツ４２が表示部２２への表示対象となっている場合、ＭＦＰ２０の制御部２８は、図６に示す動作を繰り返し実行する。
【００６１】
図６は、表示部２２による重要コンテンツ４２の表示を終了する場合のＭＦＰ２０の動作のフローチャートである。
【００６２】
図６に示すように、操作受付手段２８ｂは、表示部２２への表示対象となっている何れかの重要コンテンツ４２に設定されている特定操作受付条件４２ｂが満たされたか否かを判断する（Ｓ７１）。
【００６３】
操作受付手段２８ｂは、特定操作受付条件４２ｂが満たされたとＳ７１において判断すると、表示部２２への表示対象となっていて特定操作受付条件４２ｂが満たされている重要コンテンツ４２（以下「表示中条件満足重要コンテンツ」と言う。）のうち未だ対象にしていない１つを対象にし（Ｓ７２）、現在対象としている表示中条件満足重要コンテンツに設定されている特定操作４２ａのうち、表示部２２への表示対象となっている他の重要コンテンツ４２に設定されている特定操作４２ａと重複していない操作の受け付けを開始する（Ｓ７３）。
【００６４】
次いで、表示制御手段２８ａは、現在対象としている表示中条件満足重要コンテンツの表示部２２による表示を終了する（Ｓ７４）。
【００６５】
次いで、操作受付手段２８ｂは、未だ対象にしていない表示中条件満足重要コンテンツが存在するか否かを判断する（Ｓ７５）。
【００６６】
操作受付手段２８ｂは、未だ対象にしていない表示中条件満足重要コンテンツが存在するとＳ７５において判断すると、Ｓ７２の処理を実行する。
【００６７】
操作受付手段２８ｂは、特定操作受付条件４２ｂが満たされていないとＳ７１において判断するか、未だ対象にしていない表示中条件満足重要コンテンツが存在しないとＳ７５において判断すると、図６に示す動作を終了する。
【００６８】
図７は、重要コンテンツ４２の一例を示す図である。
【００６９】
図７に示す重要コンテンツ４２は、会議の開催の日時を知らせるメッセージ４３ａと、メッセージ４３ａを読んだことを確認するためのボタン４３ｂとを備えている。
【００７０】
図７に示す重要コンテンツ４２に設定されている特定操作受付条件４２ｂは、操作部２１を介してボタン４３ｂを押すという操作が実行されるということであっても良い。ここで、ボタン４３ｂは、特定操作受付条件４２ｂを満たすための操作の実行を要求するための操作要求情報となる。また、操作部２１を介してボタン４３ｂを押すという操作は、操作要求情報に対応した要求対応操作となる。
【００７１】
なお、要求対応操作は、ＭＦＰ２０側で管理されても良いし、サーバー３０側で管理されても良い。以下、要求対応操作がサーバー３０側で管理される例について説明する。
【００７２】
操作部２１を介してボタン４３ｂが押されると、操作受付手段２８ｂは、ログイン利用者の識別情報と、ボタン４３ｂが押された重要コンテンツ４２の識別情報と、ボタン４３ｂが押されたという情報とをネットワーク通信部２６を介してサーバー３０に送信する。そして、サーバー３０の制御部３５は、ＭＦＰ２０からネットワーク通信部３３を介して情報を受信すると、何れの重要コンテンツ４２のボタン４３ｂが何れの利用者によって押されたかということを管理するための図示していない操作管理テーブルを、ネットワーク通信部３３を介して受信した情報に基づいて更新する。
【００７３】
操作受付手段２８ｂは、Ｓ５５の処理およびＳ７１の処理において特定操作受付条件４２ｂが満たされているか否かを判断する場合に、ログイン利用者の識別情報と、判断対象の重要コンテンツ４２の識別情報とをネットワーク通信部２６を介してサーバー３０に送信する。そして、サーバー３０の制御部３５は、ログイン利用者の識別情報と、判断対象の重要コンテンツ４２の識別情報とをＭＦＰ２０からネットワーク通信部３３を介して受信すると、受信したログイン利用者の識別情報と、受信した重要コンテンツ４２の識別情報と、操作管理テーブルとに基づいて、対象の重要コンテンツ４２に設定されている特定操作受付条件４２ｂがログイン利用者について満たされているか否かを判断し、判断結果をネットワーク通信部３３を介してＭＦＰ２０に送信する。したがって、操作受付手段２８ｂは、特定操作受付条件４２ｂが満たされているか否かという情報をサーバー３０から取得することができる。
【００７４】
このように要求対応操作が管理される構成にすることによって、過去に要求対応操作が実行された重要コンテンツ４２がＭＦＰ２０への利用者のログインの度に表示部２２に表示されるということを防ぐことができる。
【００７５】
図８は、重要コンテンツ４２の図７に示す例とは異なる一例を示す図である。
【００７６】
図８に示す重要コンテンツ４２は、未提出の報告書の提出を催促するメッセージ４４ａと、メッセージ４４ａを読んだことを確認するためのボタン４４ｂとを備えている。
【００７７】
図８に示す重要コンテンツ４２に設定されている特定操作受付条件４２ｂは、図７に示す例と同様に、操作部２１を介してボタン４４ｂを押すという操作が実行されるということであっても良い。ここで、ボタン４４ｂは、特定操作受付条件４２ｂを満たすための操作の実行を要求するための操作要求情報となる。また、操作部２１を介してボタン４４ｂを押すという操作は、操作要求情報に対応した要求対応操作となる。
【００７８】
なお、要求対応操作は、図７に示す例と同様に、ＭＦＰ２０側で管理されても良いし、サーバー３０側で管理されても良い。
【００７９】
また、図８に示す重要コンテンツ４２に設定されている特定操作受付条件４２ｂは、サーバー３０側で管理されている図示していない報告書提出利用者管理テーブルに、利用者が実際に報告書を提出したということが記録されているということであっても良い。報告書提出利用者管理テーブルは、何れの利用者が報告書を提出したかを管理するためのテーブルである。
【００８０】
例えば、報告書を受け付ける担当者は、ＭＦＰ２０の利用者から報告書を受け取る度に、報告書を提出した利用者を操作部３１またはネットワーク通信部３３を介してサーバー３０上の報告書提出利用者管理テーブルに記録しても良い。また、サーバー３０の制御部３５は、利用者の識別情報と、報告書の電子データとをネットワーク通信部３３を介して受け付けることによって、報告書を提出した利用者を自動的に報告書提出利用者管理テーブルに記録しても良い。
【００８１】
操作受付手段２８ｂは、Ｓ５５の処理およびＳ７１の処理において特定操作受付条件４２ｂが満たされているか否かを判断する場合に、ログイン利用者の識別情報と、判断対象の重要コンテンツ４２の識別情報とをネットワーク通信部２６を介してサーバー３０に送信する。そして、サーバー３０の制御部３５は、ログイン利用者の識別情報と、判断対象の重要コンテンツ４２の識別情報とをＭＦＰ２０からネットワーク通信部３３を介して受信すると、受信した重要コンテンツ４２の識別情報に対応する報告書提出利用者管理テーブルと、受信したログイン利用者の識別情報とに基づいて、対象の重要コンテンツ４２に設定されている特定操作受付条件４２ｂがログイン利用者について満たされているか否かを判断し、判断結果をネットワーク通信部３３を介してＭＦＰ２０に送信する。したがって、操作受付手段２８ｂは、特定操作受付条件４２ｂが満たされているか否かという情報をサーバー３０から取得することができる。
【００８２】
このように特定操作受付条件４２ｂが満たされているか否が報告書提出利用者管理テーブルによって管理される構成にすることによって、表示部２２によって表示されている重要コンテンツ４２に対する操作とは無関係の特定操作受付条件４２ｂが設定されることができる。
【００８３】
次に、表示部２２による通常コンテンツ４１の表示を終了する場合のＭＦＰ２０の動作について説明する。
【００８４】
通常コンテンツ４１が表示部２２への表示対象となっている場合、ＭＦＰ２０の制御部２８は、図９に示す動作を繰り返し実行する。
【００８５】
図９は、表示部２２による通常コンテンツ４１の表示を終了する場合のＭＦＰ２０の動作のフローチャートである。
【００８６】
図９に示すように、表示制御手段２８ａは、表示部２２への表示対象となっている何れかの通常コンテンツ４１に設定されている非表示条件４１ａが満たされたか否かを判断する（Ｓ８１）。
【００８７】
表示制御手段２８ａは、非表示条件４１ａが満たされたとＳ８１において判断すると、非表示条件４１ａが満たされた全ての通常コンテンツ４１の表示部２２による表示を終了する（Ｓ８２）。
【００８８】
表示制御手段２８ａは、非表示条件４１ａが満たされていないとＳ８１において判断するか、Ｓ８２の処理が終了すると、図９に示す動作を終了する。
【００８９】
なお、通常コンテンツ４１の例は、図７および図８に示す重要コンテンツ４２の例と同様である。非表示条件４１ａの例も、図７および図８に示す重要コンテンツ４２の例において説明した特定操作受付条件４２ｂの例と同様である。
【００９０】
以上に説明したように、コンテンツ表示システム１０は、特定操作受付条件４２ｂが満たされていない場合に（Ｓ５５でＮＯ）、特定操作４２ａの受け付けを停止する（Ｓ５６）とともに、利用者情報２７ｂに応じた重要コンテンツ４２、すなわち、特定操作受付条件４２ｂを満たすことを要求するコンテンツを表示する（Ｓ５７）ので、特定操作４２ａの受け付けが要求される利用者によって、利用者に適したコンテンツが視認される可能性を向上することができる。
【００９１】
例えば、オフィス環境において技術部門に所属する者（以下「技術部門所属者」と言う。）が特定の手続きを特定の期限までに行わなければならないという事項を、総務部門の担当者（以下「総務部門担当者」と言う。）が技術部門所属者に連絡する場合に、連絡の方法が電話または電子メールのみであるとき、技術部門所属者が特定の手続きを特定の期限までに行わない可能性が少なからずある。しかしながら、ＭＦＰ２０がオフィスに設置されている場合、コピー機能をＭＦＰ２０に実行させる操作を特定操作４２ａとした重要コンテンツ４２として連絡事項を総務部門担当者がサーバー３０に登録しておくと、技術部門所属者は、例えば何らかの会議の書類をＭＦＰ２０によってコピーするためにＭＦＰ２０にログインしても、ＭＦＰ２０のコピー機能を実行することができず、表示部２２に重要コンテンツ４２として表示されている連絡事項を見ることになる。そして、技術部門所属者は、ＭＦＰ２０のコピー機能を実行するために、表示部２２に表示されている重要コンテンツ４２に設定されている特定操作受付条件４２ｂを満たすべく、表示部２２に表示されている重要コンテンツ４２を視認することになる。技術部門所属者は、表示部２２に表示されている重要コンテンツ４２を視認することによって、特定の手続きを特定の期限までに行う可能性が高くなる。なお、特定の手続きのための書類を重要コンテンツ４２に含めておくことによって、技術部門所属者は、必要に応じて、特定の手続きのための書類をプリンター２４によって印刷することができる。
【００９２】
コンテンツ表示システム１０は、特定操作受付条件４２ｂが満たされていない場合に（Ｓ５５でＮＯ）、特定操作４２ａの受け付けを停止する（Ｓ５６）とともに、特定操作受付条件４２ｂを満たすための操作の実行を要求するためのボタン４３ｂ（図７参照。）およびボタン４４ｂ（図８参照。）を含む重要コンテンツ４２を表示する（Ｓ５７）ので、特定操作４２ａの受け付けが要求される利用者によってコンテンツが視認される可能性を向上することができる。
【００９３】
コンテンツ表示システム１０は、特定操作受付条件４２ｂを満たすことを要求する重要コンテンツ４２以外にも、利用者情報２７ｂに応じたコンテンツを表示可能である（Ｓ６２）ので、利用者によって視認される必要性に応じた様々なコンテンツを表示することができる。
【００９４】
コンテンツ表示システム１０は、本実施の形態において、ログイン利用者に適した全ての重要コンテンツ４２をサーバー３０からＭＦＰ２０に送信した後、重要コンテンツ４２に設定されている特定操作受付条件４２ｂが満たされているか否かをＭＦＰ２０において判断している（Ｓ５５）。しかしながら、コンテンツ表示システム１０は、ログイン利用者に適した全ての重要コンテンツ４２のうち特定操作受付条件４２ｂが満たされていないものをサーバー３０によって抽出した後、抽出した重要コンテンツ４２のみをサーバー３０からＭＦＰ２０に送信しても良い。
【００９５】
同様に、コンテンツ表示システム１０は、ログイン利用者に適した全ての通常コンテンツ４１のうち非表示条件４１ａが満たされていないものをサーバー３０によって抽出した後、抽出した通常コンテンツ４１のみをサーバー３０からＭＦＰ２０に送信しても良い。
【００９６】
コンテンツ表示システム１０は、本実施の形態において、利用者がＭＦＰ２０にログインした時点で、ログイン利用者に適したコンテンツをＭＦＰ２０がサーバー３０から取得する。しかしながら、コンテンツ表示システム１０は、利用者がＭＦＰ２０にログインした後に、ログイン利用者に適した新たなコンテンツがサーバー３０に登録された場合には、ログイン利用者に適した新たなコンテンツが登録された後に、ログイン利用者に適した新たなコンテンツをＭＦＰ２０がサーバー３０から取得して、取得した新たなコンテンツに対してＳ５３〜Ｓ６３の処理を実行しても良い。
【００９７】
コンテンツ表示システム１０は、本実施の形態において利用者の情報がＭＦＰ２０に記憶されるが、利用者の情報の少なくとも一部がサーバー３０に記憶されても良い。
【００９８】
コンテンツ表示システム１０は、本実施の形態においてコンテンツがサーバー３０に記憶されるが、コンテンツがＭＦＰ２０に記憶されても良い。コンテンツ表示システム１０は、全てのコンテンツがＭＦＰ２０に記憶される場合、サーバー３０を備えなくても良い。
【００９９】
本発明の電子機器は、本実施の形態においてＭＦＰであるが、操作部および表示部を備えている電子機器であれば、プリンター専用機、コピー専用機、ファックス専用機など、ＭＦＰ以外の画像形成装置であっても良いし、ＰＣなど、画像形成装置以外の電子機器であっても良い。
【符号の説明】
【０１００】
１０  コンテンツ表示システム
２０  ＭＦＰ（電子機器）
２１  操作部
２２  表示部
２７ａ  コンテンツ表示プログラム
２７ｂ  利用者情報（利用者の情報）
２８ａ  表示制御手段
２８ｂ  操作受付手段
３４ａ  コンテンツ
４１  通常コンテンツ（コンテンツ）
４２  重要コンテンツ（コンテンツ、要求コンテンツ）
４２ａ  特定操作（特定の操作）
４２ｂ  特定操作受付条件（特定の条件）
４３ｂ  ボタン（操作要求情報）
４４ｂ  ボタン（操作要求情報）
【図１】
2015205482.tif 000003
【図２】
2015205482.tif 000004
【図３】
2015205482.tif 000005
【図４】
2015205482.tif 000006
【図５】
2015205482.tif 000007
【図６】
2015205482.tif 000008
【図７】
2015205482.tif 000009
【図８】
2015205482.tif 000010
【図９】
2015205482.tif 000011